(57)【要約】      （修正有）【課題】使用者の気分、服装、或いは状況に応じて、高さを調節することができ、靴内部へ自在に着脱できるヒールアップインソールの提供。【解決手段】インソール本体１の踵対応箇所の底面に感圧型両面粘着テープ４を固着し、ヒールアップパーツ２の上面であって、前記インソール本体１の裏面に固着された感圧型両面粘着テープ４の対応箇所に感圧型両面粘着テープ７を固着し、ヒールアップパーツ２の底面にも感圧型両面粘着テープ８を固着し、靴の本底３の踵９の上面であって、前記感圧型両面粘着テープ８の対応箇所に、感圧型両面粘着テープ１０を固着し、使用時には、それぞれの感圧型両面粘着テープ４、７、８および１０の剥離紙を剥がし、インソール本体１と、ヒールアップパーツ２と、靴の本底３を強固に接合する。【選択図】図１
0003113030.tif 000002
【実用新案登録請求の範囲】
【請求項１】
インソール本体１とヒールアップパーツ２から構成されたヒールアップインソールであって、（１）インソール本体１の底面に感圧型両面粘着テープ４が固定されていること、および（２）ヒールアップパーツ２の上面であって、前記感圧型両面粘着テープ４の対応箇所に、感圧型両面粘着テープ７が固定されていて、底面に感圧型両面粘着テープ８が固定されていること、を特徴とするインソール本体１とヒールアップパーツ２から構成されたヒールアップインソール。
【請求項２】
インソール本体１とヒールアップパーツ２から構成されたヒールアップインソールと、靴の本底３との組合せであって、（１）底面に感圧型両面粘着テープ４が固定されたインソール本体１と、（２）ヒールアップパーツ２の上面であって、前記感圧型両面粘着テープ４の対応箇所に感圧型両面粘着テープ７が固定され、ヒールアップパーツ２の底面に感圧型両面粘着テープ８が固定されたヒールアップパーツ２と、（３）靴の本底３の踵部９の上面であって、感圧型両面粘着テープ８の対応箇所に感圧型両面粘着テープ１０が固定されている靴、とから成る組合せ。
【考案の詳細な説明】
【技術分野】
【０００１】  本考案はヒールアップインソールおよびヒールアップインソールと靴の組合せに関し、より詳細には、履用者の所望によりヒールの高さを任意に変えることができるヒールアップインソールおよびヒールアップインソールと靴の組合せに関する。
【背景技術】
【０００２】  従来から、靴の踵部にいろいろ工夫をこらして身長を高く見せる、いわゆる「シークレットブーツ」或いは「マジックブーツ」が提案されている。従来のマジックブーツには、主として二種類ある。即ち、一つは、本底に、分厚い踵を一体に接合したタイプで、いわゆるハイヒールタイプである。このタイプは、一見して厚底靴であることが分かるため、女性にはともかく、男性には抵抗があった。【０００３】  そこで、提案されたのが、踵は通常の厚さにして、踵に対応する内部に底上げ部品を挿入したタイプである。このタイプにも、主として、二種類ある。即ち、一つは、底上げ部材を踵対応部に固定したタイプである。別のタイプは、自在に着脱ができる中敷、いわゆる、インソールで調節するタイプである。【０００４】  従って、本考案で使用する用語「ヒールアップインソール」は、「踵部の高さを任意に調節でき、自在に着脱できるインソール」と定義する。【０００５】  特開第２００３−１６４３０３号公報は、概略、インソールを、少なくとも上部インソールと、下部インソールの２枚に分割し、上部インソールの裏面に複数個の小孔を穿設し、下部インソールにおいて、上部インソールの裏面の小孔に対応する箇所に、小孔の個数と同じ個数の突起を設け、その突起を小孔に挿入して、上下のインソールを固定する「身長を高く見せる中敷」を開示している。【０００６】  特開第２００３−１６４３０３号公報に記載された「身長を高く見せる中敷」の第一の欠点は、靴のサイズおよび踵の高さに対応させて、多数の金型を用意しなければならないので、製造コストがかかることである。第二の欠点は、複数枚に分割した、それぞれのインソ−ルの上面に突起を設け、底面に小孔を設けると突起と、小孔の上底面との間が薄くなり、インソール自体の強度が弱化されることである。第三の欠点は、それぞれ分割したインソールの上面に設けた小突起が折れると、インソール同士の契合が弱くなることである。【０００７】  実用新案登録第３０６８７８５号公報および実用新案登録第３０８１３２５号公報は、概略、中敷の踵部分の下部に高さを有するヒールを、中敷と一体成形するか、それぞれ別体に製造して接着剤で張り合わせた「背を高くする靴の中敷」を開示している。【０００８】  実用新案登録第３０６８７８５号公報および実用新案登録第３０８１３２５号公報に記載された従来技術の欠点は、中敷と、高さを有するヒールを、中敷と一体成形するか、それぞれ別体に製造して接着剤で張り合わせてあるので、踵の高さ自体は、靴毎に一定である。従って、服装をスカ−トからパンツに代えたり、あるいは長ズボンから短パンツに代え、踵の高さも複数に応じて変えたいと考えても、それは不可能なことである。【特許文献】特開第２００３−１６４３０３号公報  実用新案登録第３０６８７８５号公報  実用新案登録第３０８１３２５号公報
【考案の開示】
【考案が解決しようとする課題】
【０００９】  考案が解決しようとする主たる課題は、使用者のそのときの気分や、服装、或いは状況に応じて、高さを調節することができ、靴内部へ自在に着脱できるヒールアップインソールを提供することである。【００１０】  考案が解決しようとする別の課題は、使用者のそのときの気分や、服装、或いは状況に応じて、高さを調節することができ、靴内部へ自在に着脱できるヒールアップインソールを低コストで製造することができる方法を提供することである。【００１１】  本考案者は、本考案を開発するに当たって、ヒールアップインソールを、インソール本体と、インソール本体に着脱可能に接合できるヒールアップパーツの少なくとも２個の部品に分割すること、およびインソール本体と、ヒールアップパーツの接合方法を、前記特開第２００３−１６４３０３号公報に記載されているように、小孔と突起との契合によるものではなく、感圧型両面粘着テープによることを検討した。【００１２】  インソール本体と、ヒールアップパーツの接合方法を、小孔と突起との契合ではなく、感圧型両面粘着テープによると、接合が不十分で、不安定ではないかとの疑問が生じるであろうが、この疑問は以下のようにして解決した。即ち、インソール本体の裏面とヒールアップパーツの上面を感圧型両面粘着テープで接合し、さらに、ヒールアップパーツの底面と本底の上面を感圧型両面粘着テープで接合する。その結果、インソール本体、ヒールアップパーツおよび本底の三者が同時に強固に接合され一体化される。ヒールアップインソールは、靴の内部というごく狭い空間で使用するものであるので、歩行時に靴内部で移動することは全くない。【００１３】  インソール本体は、従来から使用されている形状のものでよい。ヒールアップパーツは、左右両側に後端部に向けて徐々に高くなるような形状の立ち上げ部を、底面と一体に成形したものが好ましい。ヒールアップパーツをこのような形状にすることにより、ヒールアップパーツに、ヒールアップパーツの底面と、立ち上げ部とで、前方（爪先方向）が開口した凹陥部が形成されたような状態に成る。従って、インソール本体の下方両側面が、その凹陥部にピッタリと填合されるという効果が得られる。この効果が、感圧型両面粘着テープ同士の接合と相俟って、両者が一層強固に固定され、左右へのぶれ、ずれ等の移動が防止される。
【課題を解決するための手段】
【００１４】  従って、上記課題は、インソール本体とヒールアップパーツから構成されたヒールアップインソールであって、インソール本体の底面に感圧型両面粘着テープが固定されていること、およびヒールアップパーツの上面であって、前記インソール本体の底面に固定された感圧型両面粘着テープの対応箇所に、感圧型両面粘着テープが固定されていて、ヒールアップパーツの底面に感圧型両面粘着テープが固定されていることを特徴とするインソール本体とヒールアップパーツから構成されたヒールアップインソールによって解決される。【００１５】  さらに、上記課題は、インソール本体とヒールアップパーツから構成されたヒールアップインソールと靴との組合せであって、底面に感圧型両面粘着テープが固定されたインソール本体と、ヒールアップパーツの上面であって、前記インソール本体の底面に固定された感圧型両面粘着テープの対応箇所に感圧型両面粘着テープが固定され、ヒールアップパーツの底面に感圧型両面粘着テープが固定されたヒールアップパーツと、靴の本底の踵部の上面であって、前記ヒールアップパーツの底面に固定された両面テープの対応箇所に感圧型両面粘着テープが固定されている靴とから成る組合せにより解決される。
【考案の効果】
【００１６】  請求項１に記載した考案によると、インソール本体とヒールアップパーツから構成されたヒールアップインソールであって、インソール本体の底面に感圧型両面粘着テープを固定し、さらにヒールアップパーツの上面であって、前記インソール本体の底面に固定された感圧型両面粘着テープの対応箇所に、感圧型両面粘着テープを固定し、ヒールアップパーツの底面に感圧型両面粘着テープを固定してそれぞれ別体の製品として製造したので、両者を組み合わせた１個の商品としても、また独立した別々の商品としても流通させることができ、購入者は、両者の感圧型両面粘着テープを接合するだけで、ヒールアップインソールとして使用することができる。さらに、高さが違うヒールアップパーツをいくつか品揃えすることで、使用者のそのときの気分や、服装、或いは状況に応じて、高さを調節することができ、靴内部へ自在に着脱できるヒールアップインソールを低コストで製造することができる。【００１７】  請求項２に記載した考案によると、底面に感圧型両面粘着テープが固定されたインソール本体と、ヒールアップパーツの上面であって、前記インソール本体の底面に固定された感圧型両面粘着テープの対応箇所に感圧型両面粘着テープが固定され、ヒールアップパーツの底面に感圧型両面粘着テープが固定されたヒールアップパーツと、靴の本底の踵部の上面であって、前記ヒールアップパーツの底面に固定された両面テープの対応箇所に感圧型両面粘着テープが固定されている靴とを組合せたことにより、ヒールアップインソールと靴を組み合わせた１個の商品として流通させることができ、購入者は、三者の感圧型両面粘着テープを接合するだけで、ヒールアップインソールを靴に強固に接合して使用することができる。さらに、高さが違うヒールアップパーツをいくつか品揃えすることで、使用者のそのときの気分や、服装、或いは状況に応じて、高さを調節することができ、靴内部へ自在に着脱できるヒールアップインソールを低コストで製造することができる。
【考案を実施するための最良の形態】
【００１８】  以下、考案を実施するための最良の形態を添付図面を参照して説明する。  図１は、インソール本体１と、ヒールアップパーツ２と、靴の本底３を積層状態がわかるように分解して示した断面図である。【００１９】  インソール本体１は、従来から使用されている材料で通常の形状に成形されていて、その底面（本底方向）には感圧型両面粘着テープ４が固着されている。【００２０】  ヒールアップパーツ２は、人体の踵部にほぼ対応する大きさで、インソール本体１の１／３〜１／２程度の長さである。ヒールアップパーツ２の底面５の左右両側には、後端部に向けて徐々に高くなるような形状の立ち上げ部６が底面５と一体に設けてある。ヒールアップパーツ２をこのような形状にすることにより、ヒールアップパーツ２に、ヒールアップパーツの底面５と、立ち上げ部６とで、前方（爪先方向）が開口した凹陥部が形成されたような状態に成る。従って、インソール本体１の下方両側面１１が、その凹陥部にピッタリと填合されるという効果が得られる。この効果が、感圧型両面粘着テープ同士の接合と相俟って、両者が一層強固に固定され、左右へのぶれ、ずれ等の移動が防止される。【００２１】  ヒールアップパーツ２の上面であって、前記インソール本体１の裏面に固着された感圧型両面粘着テープ４の対応箇所に感圧型両面粘着テープ７が固着されていて、ヒールアップパーツ２の底面にも感圧型両面粘着テープ８が固着されている。【００２２】  靴の本底３の踵９の上面であって、前記感圧型両面粘着テープ８の対応箇所には、感圧型両面粘着テープ１０が固着されている。【００２３】  本考案を利用するときは、先ず、インソール本体１の裏面に固着されている感圧型両面粘着テープ４の剥離紙を剥がし、ヒールアップパーツ２の上面に固着されている感圧型両面粘着テープ７の剥離紙を剥がして、両方を接合する。さらに、ヒールアップパーツ２の底面に固着されている感圧型両面粘着テープ８の剥離紙を剥がし、靴の本底３の踵９の上面に固着されている感圧型両面粘着テープ１０の剥離紙を剥がし、両方を接合する。【００２４】  このようにして、インソール本体１と、ヒールアップパーツ２と、靴の本底３が、強固に接合され、一体化され、歩行時あるいは運動時にも、それぞれが移動することがない。
【産業上の利用可能性】
【００２５】  以上説明したように、本考案により、インソール本体１とヒールアップパーツ２から構成されたヒールアップインソールであって、インソール本体１の底面に感圧型両面粘着テープ４を固定し、さらにヒールアップパーツ２の上面であって、前記インソール本体１の底面に固定された感圧型両面粘着テープ４の対応箇所に、感圧型両面粘着テープ７を固定し、ヒールアップパーツ２の底面に感圧型両面粘着テープ８を固定してそれぞれ別体の製品として製造したので、両者を組み合わせた１個の商品としても、また独立した別々の商品としても流通させることができ、購入者は、両者の感圧型両面粘着テープ４、７の剥離紙を接合するだけで、ヒールアップインソールとして使用することができる。さらに、高さが違うヒールアップパーツをいくつか品揃えすることで、使用者のそのときの気分や、服装、或いは状況に応じて、高さを調節することができ、靴内部へ自在に着脱できるヒールアップインソールを低コストで製造することができる。【００２６】  また、底面に感圧型両面粘着テープ４が固定されたインソール本体１と、ヒールアップパーツ２の上面であって、前記インソール本体１の底面に固定された感圧型両面粘着テープ４の対応箇所に感圧型両面粘着テープ７が固定され、ヒールアップパーツ２の底面に感圧型両面粘着テープ８が固定されたヒールアップパーツ２と、靴の本底３の踵部９の上面であって、前記ヒールアップパーツ２の底面に固定された感圧型両面粘着テープ８の対応箇所に感圧型両面粘着テープ１０が固定されている靴とを組合せたことにより、ヒールアップインソールと靴を組み合わせた１個の商品として流通させることができ、購入者は、三者の感圧型両面粘着テープ４、７、８、１０の剥離紙を剥がして接合するだけで、インソール１、ヒールアップインソール２、および靴３を相互に強固に接合して使用することができる。さらに、高さが違うヒールアップパーツをいくつか品揃えすることで、使用者のそのときの気分や、服装、或いは状況に応じて、高さを調節することができ、靴内部へ自在に着脱できるヒールアップインソールを低コストで製造することができる。
【図面の簡単な説明】
【００２７】
【図１】は、インソール本体１と、ヒールアップパーツ２と、靴の本底３を積層状態がわかるように分解して示した断面図。
【符号の説明】
１    インソール本体２    ヒールアップパーツ３    靴の本底４    感圧型両面粘着テープ５    ヒールアップパーツ２の底面６    ヒールアップパーツ２の立ち上げ部７    感圧型両面粘着テープ８    感圧型両面粘着テープ９    本底の踵部１０  感圧型両面粘着テープ１１  インソール本体の立ち上げ部
【図１】
0003113030.tif 000003